(57)【要約】【課題】移し替え元の容器が柔軟性のある容器であっても、これを手で支えることなく漏斗本体内で一定の姿勢を保つことができ、人手をかけることなく、移し替え元の容器から内容物を残らず移し替え先の容器に移し替えることができ、簡単な形状で低コスト化を図ることができる漏斗を得る。【解決手段】上端が開放し下に向かって連続的に径が小さくなる円錐形の漏斗本体１１と、漏斗本体１１を支える複数の脚１５を有し、漏斗本体１１には移し替え元の容器３を傾けた姿勢で受け止めることによって移し替え元の容器３の姿勢を保つために上端の周縁部の一部を外側に向かって張り出させた容器受け部１３が設けられ、複数の脚１５で囲まれる空間は漏斗本体の下端から落下する流動体を受ける移し替え先の容器２を配置可能な空間である。【選択図】図１
0003120149.tif 000002
【実用新案登録請求の範囲】
【請求項１】
上端が開放し下に向かって連続的に径が小さくなる円錐形の漏斗本体と、この漏斗本体を支える複数の脚を有し、
漏斗本体には移し替え元の容器を傾けた姿勢で受け止めることによって移し替え元の容器の姿勢を保つために上端の周縁部の一部を外側に向かって張り出させた容器受け部が設けられ、
上記複数の脚で囲まれる空間は漏斗本体の下端から落下する流動体を受ける移し替え先の容器を配置可能な空間であることを特徴とする漏斗。
【請求項２】
漏斗本体と脚は樹脂で一体成形されている請求項１記載の漏斗。
【請求項３】
脚は折り畳み可能である請求項１記載の漏斗。
【請求項４】
脚に差し込むことができる延長脚を有する請求項１記載の漏斗。
【考案の詳細な説明】
【技術分野】
【０００１】
本考案は、容器から容器へ流動体を移し変えるための漏斗に関するもので、特に、移し替え元の容器が詰め替え用容器のようなさまざまな異型容器であっても、その姿勢を安定に保ちながら流動体を移し替え先の容器に移し替えることができる漏斗に関するものである。
【背景技術】
【０００２】
漏斗は、液体や粒状体などの流動体をこぼすことなく容器から容器へ移し替えることができる道具として古くから使用されている。近年では、省資源化による環境負荷の低減のために、簡易包装された詰め替え容器に流動体を収容して流通させるようになってきている。消費者は、詰め替え容器入りの流動体を購入すると、これを日常的に使用する容器に移し替えて使用する。この日常的に使用する容器のことを、ここでは「移し替え先の容器」ということにする。
【０００３】
上記移し替え先の容器は通常、例えばガラス、硬質の合成樹脂などからなる硬質の容器であって、一定の形状を保つ容器である。上記詰め替え容器は、一定の形状を保つものもあり、一方では、例えば軟質のフィルム状樹脂などからなる柔軟性のある袋状容器の場合のように、一定の形状を保つことができない場合もある。シャンプーやリンスなどの毛髪を手入れする製品、各種食器用洗剤、衣類用洗剤などは、軟質の詰め替え用袋状容器に収容されて流通することが多い。このような詰め替え容器からその内容物である流動体を移し替え先の容器に移し替えるときに漏斗を使うと便利であるが、詰め替え容器は一定の形状を保つことができない軟質の容器であるため、少なくとも詰め替え容器を手で支えて漏斗との相対位置を保持しなければならない。場合によっては漏斗も手で支えなければならない。これでは、ユーザーが移し替え作業に専念せざるを得ず、その間はほかのことをすることができないという難点がある。
【０００４】
そこで、漏斗のノズルを移し替え先の容器の口の差し込み、この位置で漏斗の本体をスタンドで支えるように構成したスタンド付き漏斗に関して提案されている。上記スタンドの脚は、移し替え先の容器の高さに応じて伸縮させることができるようになっている（例えば、特許文献１参照）。また、柔軟な詰め替え容器であってもこれを漏斗の内方で起立させることができるように、漏斗本体の中央部から上方に柱を伸ばし、この柱に詰め替え容器を差し込むことができるようにした詰め替え用漏斗が提案されている（例えば、特許文献２参照）。さらに、漏斗自体を手で支える必要がないように、漏斗本体の上縁付近に吸盤を取り付け、この吸盤を壁面に吸着させることにより漏斗を固定するようにした漏斗も提案されている（例えば、特許文献３参照）。
【０００５】
特許文献１記載の発明は、漏斗本体と移し替え先の容器との相対位置関係を決めれば、漏斗本体を手で支える必要はないので、この点では便利であるが、詰め替え容器を人手で支えることを不要にすることまでは考慮されていない。したがって、詰め替え容器を手で支える必要があり、詰め替え作業をしている間はこれに専念せざるを得ず、他の作業をすることができないという難点がある。かかる難点は特許文献３記載の発明にも言えることである。
特許文献２記載の発明によれば、漏斗本体の中央部から上方に延びた柱に詰め替え容器を差し込むことによって詰め替え容器を自立させることができる。しかし、漏斗本体の中央部から上方に柱を伸ばす必要があり、かつ、この柱が流動体の流れを妨げないように、柱を二股状に形成する必要があるため、構成が複雑となり、コスト高の要因となる。また、柱に詰め替え容器を差し込む必要があり、詰め替え操作が面倒になる難点がある。
【０００６】
【特許文献１】特開２００２−１０４５８８号公報
【特許文献２】実用新案登録第３０８４３３５号公報
【特許文献３】実用新案登録第３１０４３２６号公報
【考案の開示】
【考案が解決しようとする課題】
【０００７】
本考案は、上記従来技術の問題点を解消するためになされたもので、移し替え元の容器が、一定の形状を保つことができない柔軟性のある容器であっても、これを手で支えることなく漏斗本体内で一定の姿勢を保つことができ、もって、内容物の移し替え中、人手をかけることなく、移し替え元の容器から内容物を残らず移し替え先の容器に移し替えることを可能にした漏斗を提供することを目的とする。
本考案はまた、簡単な形状で低コスト化を図ることができる漏斗を提供することを目的とする。
【課題を解決するための手段】
【０００８】
本考案は、上端が開放し下に向かって連続的に径が小さくなる円錐形の漏斗本体と、この漏斗本体を支える複数の脚を有し、漏斗本体には移し替え元の容器を傾けた姿勢で受け止めることによって移し替え元の容器の姿勢を保つために上端の周縁部の一部を外側に向かって張り出させた容器受け部が設けられ、上記複数の脚で囲まれる空間は漏斗本体の下端から落下する流動体を受ける移し替え先の容器を配置可能な空間であることを最も主要な特徴とする。
【考案の効果】
【０００９】
移し替え元の容器が、一定の形状を保つことができない柔軟性のある容器であっても、この容器の出口を下側にして漏斗本体内に位置させ、上記の容器全体は、これを漏斗本体内で傾けた姿勢で、漏斗本体の容器受け部で受け止めることができる。これによって移し替え元の容器の姿勢が保たれ、移し替え元の容器からその内容物である流動体が流れ出る。この流動体は漏斗本体のノズルによって移し替え先の容器の入り口に導かれ、移し替え先の容器に移し替えられる。移し替え元の容器を手で支える必要はなく、漏斗も脚によって支えられているので、これを人手で支える必要がない。よって、流動体の移し替え作業を、人手をかけることなく行なうことができる。移し替え元の容器内の流動体は自然に落下して移し替え先の容器に移し替えられるので、その間ユーザーは別の作業を行なうことができ、その間の時間を十分にかけても差支えがないから、移し替え元の容器から内容物を残らず移し替えることができる利点もある。漏斗本体の形状は、一般的な漏斗形状である円錐形状のものに、容器受け部を形成するだけであるから、例えば、樹脂の一体成形で製作することが容易であり、低コストで製造することができる。
【考案を実施するための最良の形態】
【００１０】
以下、本考案にかかる漏斗の実施例について図面を参照しながら説明する。
図１において、符号１は漏斗を示している。漏斗１は、上端が開放し下に向かって連続的に径が小さくなる円錐形の漏斗本体１１と、この漏斗本体１１を支える複数の脚１５を有してなる。脚１５の数は任意であるが、がたつきにくくするためには、３本の脚すなわち三脚にすることが望ましい。漏斗本体１１には移し替え元の容器３を傾けた姿勢で受け止めることによって移し替え元の容器３の姿勢を保つために、上端部１２の周縁部の一部を外側に向かって張り出させた容器受け部１４が設けられている。容器受け部１３は、漏斗本体１１の円形の上端部１２に対し円滑な曲線の連続によって形成されている。漏斗本体１１の下端部中央は、直径が最も小さいノズル部１４となっている。このように、漏斗１は比較的簡単な形状であり、漏斗本体１１と脚１５を含めた漏斗１全体を樹脂による一体成形で製作することができる。
【００１１】
上記複数の脚１５で囲まれる空間は、漏斗本体１１の下端のノズル１４から落下する流動体を受ける移し替え先の容器２を配置可能な空間となっている。移し替え先の容器２の上端部は、流動体を出し入れするための出入り口となっている。この出入り口の直径は任意であるが、図示の例では小径の出入り口２１となっている。このような小径の出入り口であっても、漏斗本体１１のノズル部１４の真下に上記出入り口２１を位置させることにより、移し替え元の容器３内の流動体をこぼすことなく移し替え先の容器２に移し替えることができる。
【００１２】
図示の実施例にかかる漏斗に使用可能な移し替え元の容器の形状は、特定の形状に限定されるものではない。図１に示す移し替え元の容器３の例は、例えば、シャンプーや液体洗剤などの詰め替え用容器を想定していて、柔軟性のある樹脂製の袋状容器であって、容器本体の上端の一隅部に移し替え口３１が設けられた形状になっている。この移し替え口３１は、例えば、密閉された容器３の移し替え口３１に該当する部分を鋏などで切断することによって形成されるものであってもよい。あるいは、例えばネジ式のキャップが装着されていて、キャップを外すことによって移し替え口３１が開放されるように構成されているものであってもよい。図１に示すように、移し替え元の容器３は、移し替え口３１を下側にして漏斗本体１１内に挿入し、容器３の胴体部分を漏斗本体１１の前記容器受け部１３に預けて、容器３が斜めに傾いた姿勢で、容器３の胴体部分を容器受け部１３で支持させる。この姿勢で容器３の移し替え口３１は下を向くようにするとよい。この姿勢で容器３の移し替え口３１が漏斗本体１１のノズル部１４と正対してもよいし、正対しなくてもよい。
【００１３】
図１に示すように、移し替え元の容器３を漏斗１にセットすることにより、移し替え元の容器３内の流動体は移し替え口３１から流れ出し、漏斗本体１１の内周面からノズル部１４に導かれ、ノズル部１４から移し替え先の容器２の出入り口２１に導かれて移し替え先の容器２内に収納される。移し替え元の容器３は、漏斗本体１１の容器受け部１３で支えられて姿勢が保持されるので、ユーザーが手で支える必要はなく、移し替えが終了するまでユーザーは別のことを行うことができる。このように、時間的に制約のない条件の下で流動体の移し替えを行なうことができるから、移し替え元の容器３の流動体を無駄なく移し替え先の容器２に移し替えることができる。移し替え元の容器３は、柔軟性のあるものであっても安定に保持されて、内部の流動体を移し替えることができ、硬質樹脂あるいはガラスなどからなる硬質の容器であっても、これを漏斗本体１１内に安定に保持して、流動体を移し替えることができる。
【００１４】
前述のとおり、移し替え元の容器の形状は、特定の形状に限定されるものではない。図２は、本発明にかかる漏斗に使用可能な移し替え元の容器の各種形状の例を示す。図２（ａ）は、正面形状が長方形の袋状の容器４を示している。容器４は下端部の左右両側に切断部４１が設けられていて、これら切断部４１の少なくとも一方を鎖線で示すように切断することによって、移し替え口を形成することができるようになっている。この移し替え口を下に向けて上記漏斗本体１１内に挿入し、胴部を容器受け部１３で支持することにより、前述のとおり容器４内の流動体を移し替え先の容器に移し替えることができる。
【００１５】
図２（ｂ）に示す移し替え元の容器５は、一般的な瓶の形状と同じ形状で、胴体の一端側において連続的に直径が小さくなり、最小径の移し替え口５１へとつながった形状、かつ、横断面形状が中心軸線を中心とした同心円であるものの例である。このような形状の移し替え元の容器５であっても、移し替え口５１を下に向けて上記漏斗本体１１内に挿入し、胴部を容器受け部１３で支持することによって、容器５内の流動体を移し替え先の容器に移し替えることができる。この移し替え元の容器５の形状の場合、漏斗本体１１のノズル部１４の真上に移し替え口５１を位置させることは難しいが、容器５内の流動体は漏斗本体１１の内面を伝ってノズル部１４に導かれるから、移し替え先の容器に流動体を移し替えるのに、なんら障害とはならない。
【００１６】
図２（ｃ）に示す移し替え元の容器６は、移し替え口６１が、胴体部分の一端部において一方側に偏って形成されている例である。この移し替え元の容器５の形状の場合も、移し替え口５１を下に向けて上記漏斗本体１１内に挿入し、胴部を容器受け部１３で支持させる。容器６内の流動体は漏斗本体１１の内面を伝ってノズル部１４に導かれるから、移し替え先の容器に流動体を移し替えることができる。
【００１７】
移し替え先の容器のサイズはさまざまである。特に高さ寸法が異なると、漏斗本体１１のノズル部１４と移し替え先の容器の出入り口との上下方向の相対位置関係が不適当となる。上記ノズル部１４と移し替え先の容器の出入り口との間に上下方向の寸法の余裕がなければ、双方が当たって移し替え先の容器をセットすることができない。逆に、上記ノズル部１４と移し替え先の容器の出入り口とが離れすぎていると、流動体がこぼれやすくなる。そこで、図１に示す脚１５は、これを折り畳み可能として漏斗本体１１の高さ位置を段階的に調節可能とするとよい。脚１５を折り畳み可能としておけば、折り畳むことによってコンパクトな形にして収納することができる利点もある。また、脚に差し込むことができる延長脚を有する構成にしてもよい。かかる構成にすることによっても、漏斗本体１１の高さ位置を段階的に調節することができるし、収納時にコンパクトにすることができる。
【００１８】
移し替え元の容器を安定に保持することができるように、漏斗本体１１の容器受け部１３の下方に１本の脚１５を位置させるのが望ましい。
【図面の簡単な説明】
【００１９】
【図１】本考案にかかる漏斗の実施例およびその使用例を示す斜視図である。
【図２】本考案に使用可能な移し替え元の各種例を示す正面図である。
【符号の説明】
【００２０】
１    漏斗
２    移し替え先の容器
３    移し替え元の容器
１１    漏斗本体
１３    容器受け部
１４    ノズル部
１５    脚
【図１】
0003120149.tif 000003
【図２】
0003120149.tif 000004